(57)【要約】　　　（修正有）【課題】取付ピンや連結ピンを用いることなく簡単に製作することができ、又函状に組立てた後に十分な強度を確保できるコンテナを提供する。【解決手段】左右の側板（４０）の下端縁の間に矩形状の底板（５０）をハーフカットによるヒンジ部を介して連続させ、左右の側板（４０）の上端縁直下及び高さ方向の中間部位にハーフカットによるヒンジ部（４１，４２）を形成し、前後の側板（３０）の上端縁直下の部位にハーフカットによるヒンジ部を形成する。前後左右の側板の上端縁にはフレーム（２０）の外嵌部分を外嵌し、フレームの係止突起（２３０）を側板の係止穴に係止し、底板（５０）の係止体（６０）の面ファスナーをフレームの面ファスナーに締着させてコンテナを製作し、側板をヒンジ部で折り曲げることによってコンテナを嵩が低くなるように折り畳む。【選択図】　図１
0003098273.tif 000002
【実用新案登録請求の範囲】
【請求項１】
嵩が低くなるように折畳み可能な小型コンテナにおいて、　上端縁直下及び高さ方向の中間部位にハーフカットによるヒンジ部が形成され、上端縁近傍に係止穴が形成された矩形状の左右の側板と、
上記左右の側板の下端縁の間にハーフカットによるヒンジ部を介して連続する矩形状の底板と、
その上端縁直下の部位にハーフカットによるヒンジ部が形成され、上端縁近傍に係止穴が形成され、下端縁に雌又は雄の面ファスナーが取付けられた矩形状の前後の側板と、
平面ほぼ矩形状をなし、該矩形状の全部又は一部に断面逆Ｕ字状の外嵌部分を有するとともに、該矩形状の各辺に係止突起を有し、上記外嵌部分が上記前後左右の側板の上端縁に外嵌されるとともに上記係止突起が上記係止穴に係止されることによって上記前後左右の側板に取付けられるとともに上記前後左右の側板を補強する補強フレームと、
上記底板の前後両縁に折り曲げ可能に連結され、先端部に雄又は雌の面ファスナーが取付けられ、該面ファスナーが上記前後の側板の雌又は雄の面ファスナーに係脱可能に締着されることによって上記前後の側板の下端縁を係止する係止板と、
を備えたことを特徴とする折畳み式小型コンテナ。
【請求項２】
上記フレームは、長さ方向の全部又は一部に断面逆Ｕ字状の外嵌部分を有し、上記左右の側板の上端縁に外嵌されて上記左右の側板を補強する左右のフレーム構成体と、
長さ方向の全部又は一部に断面逆Ｕ字状の外嵌部分を有し、上記前後の側板の上端縁に外嵌されて上記前後の側板を補強する前後のフレーム構成体と、
平面Ｌ字状の全長にわたって断面逆Ｕ字状をなし、平面Ｌ字状の２辺に上記係止突起を有し、上記左右のフレーム構成体と前後のフレーム構成体の隣接するコーナー部位に外嵌されるコーナ構成体とから構成されている請求項１記載の折畳み式小型コンテナ。
【請求項３】
上記前後の側板直上のフレームには雄又は雌の第２の面ファスナーが取付けられ、上記係止板の雌又は雄の面ファスナーと係脱可能に締着されることによって上記左右の側板が内方に折り畳まれた状態に保持されるようになした請求項１記載の折畳み式小型コンテナ。
【請求項４】
上記前後左右の側板、底板及び係止板は、プラスチック製段ボール、又はプラスチック板が採用されている請求項１ないし３のいずれかに記載の折畳み式小型コンテナ。
【考案の詳細な説明】
【０００１】
【考案の属する技術分野】
本考案は折畳み式小型コンテナに関し、特に取付ピンや連結ピンを用いることなく簡単に製作することができ、又函状に組立てた後に十分な強度を確保できるようにしたコンテナに関する。
【０００２】
【従来の技術】
電子部品等を工場間等で運搬する場合、いわゆる通い箱（小型コンテナ）がよく用いられる。かかる小型コンテナでは使用後に嵩高にならないように低く折り畳めるようにした構造が採用されることが多い。
【０００３】
例えば、矩形状のフレームと底板フレーム部とに前後（又は左右）の側板の上端縁及び下端縁を取付ピンによって枢支するとともに、該前後（又は左右）の側板の中間部位を連結ピンによって折り畳み可能に連結する一方、矩形状フレームに左右（又は前後）の側板の上端縁（又は下端縁）を取付ピンによって枢支し、上記前後（又は左右）の側板を平板状にするとともに、上記左右（又は前後）の側板を回動させて底板フレーム部に係止させ、もって矩形函状に組み立てられるようにした構造が知られている（例えば、特許文献１、特許文献２、特許文献３
特許文献４、等参照）。
【０００４】
【特許文献１】実開昭５１−１３２３４１号公報
【特許文献２】実開昭５１−８９０４１号公報
【特許文献３】実開昭６０−１６７７３３号公報
【特許文献４】実開昭６１−４８１２５号公報
【０００５】
【考案が解決しようとする課題】
しかし、上記従来公報記載の構造では取付ピンを用いて側板を矩形状フレームや底板フレーム部に回動可能に取付け、あるいは連結ピンを用いて側板部分同士を折り曲げ可能に連結する必要があり、製作作業が煩雑である。
【０００６】
また、函状に組立てた後における小型コンテナの強度は上記回動された左右（又は前後）の側板と底板フレーム部との間の係止強度に依存するので、例えば嵌合式の係止機構等を採用して係止強度を確保しているが、組立て作業が煩雑になるという問題もあった。
【０００７】
本考案はかかる問題点に鑑み、取付ピンや連結ピンを用いることなく簡単に製作することができ、又簡単に函状に組立てることかできるとともに十分な強度を確保できるようにした折畳み式小型コンテナを提供することを課題とする。
【０００８】
【課題を解決するための手段】
そこで、本考案に係る折畳み式小型コンテナは、嵩が低くなるように折畳み可能な小型コンテナにおいて、上端縁直下及び高さ方向の中間部位にハーフカットによるヒンジ部が形成され、上端縁近傍に係止穴が形成された矩形状の左右の側板と、上記左右の側板の下端縁の間にハーフカットによるヒンジ部を介して連続する矩形状の底板と、その上端縁直下の部位にハーフカットによるヒンジ部が形成され、上端縁近傍に係止穴が形成され、下端縁に雌又は雄の面ファスナーが取付けられた矩形状の前後の側板と、平面ほぼ矩形状をなし、該矩形状の全部又は一部に断面逆Ｕ字状の外嵌部分を有するとともに、該矩形状の各辺に係止突起を有し、上記外嵌部分が上記前後左右の側板の上端縁に外嵌されるとともに上記係止突起が上記係止穴に係止されることによって上記前後左右の側板に取付けられるとともに上記前後左右の側板を補強する補強フレームと、上記底板の前後両縁に折り曲げ可能に連結され、先端部に雄又は雌の面ファスナーが取付けられ、該面ファスナーが上記前後の側板の雌又は雄の面ファスナーに係脱可能に締着されることによって上記前後の側板の下端縁を係止する係止板と、を備えたことを特徴とする。
【０００９】
本考案の特徴の１つは左右の側板の上端縁直下及び高さ方向の中間にハーフカットによるヒンジ部を設けて折り畳み可能に構成するとともに、左右の側板の下端縁の間にハーフカットによるヒンジ部を介して底板を連結し、前後の側板の上端縁の直下にハーフカットによるヒンジ部を設け、前後左右の側板の上端縁に矩形状のフレームを外嵌し、フレームの係止突起を側板の係止穴に係止させ、前後左右の側板及び底板を函状に製作するようにした点にある。これにより、取付ピンや連結ピンを用いることなく折畳み可能なコンテナを簡単に製作することができる。
【００１０】
また、本考案の他の特徴は底板に係止板を一体的に設け、係止板に面ファスナーを取付け、前後の側板の下端縁に取付けた面ファスナーと係脱可能に締着するようにした点にある。これにより、嵌合式の係止機構等の煩雑な係止操作を必要とする係止機構を用いることなく、前後の側板を底板に強固に係止できる。
【００１１】
フレームは平面ほぼ矩形状をなし、その矩形状の全部又は一部に断面逆Ｕ字状の外嵌部分を有し、前後左右の側板の上端縁に外嵌されて前後左右の側板を補強するものであればよい。例えば、フレームは全体を一体的に製作してもよいが、一体的に製作すると、フレームの外嵌部分を側板上端縁に外嵌し難いことが懸念される。そこで、フレームを四辺のフレーム構成体とコーナー構成体とから構成し、コーナー構成体に係止突起を設け、フレーム構成体を側板の上端縁に外嵌し、フレーム構成体のコーナー部分にコーナー構成体を外嵌するとともに係止突起を側板の係止穴に係止し、フレームを構成するとともにフレームを側板に結合するようにするのがよい。
【００１２】
即ち、フレームは、長さ方向の全部又は一部に断面逆Ｕ字状の外嵌部分を有し、左右の側板の上端縁に外嵌されて左右の側板を補強する左右のフレーム構成体と、長さ方向の全部又は一部に断面逆Ｕ字状の外嵌部分を有し、前後の側板の上端縁に外嵌されて前後の側板を補強する前後のフレーム構成体と、平面Ｌ字状の全長にわたって断面逆Ｕ字状をなし、平面Ｌ字状の２辺に係止突起を有し、左右のフレーム構成体と前後のフレーム構成体の隣接するコーナー部位に外嵌されるコーナ構成体とから構成されているのがよい。
【００１３】
また、側板にハーフカットによるヒンジ部を設けて折畳み可能に構成すると、嵩が低くなるように折り畳んだコンテナがヒンジ部の復元力によって上方に伸び上がることが懸念される。
【００１４】
そこで、前後の側板直上のフレームには雄又雌の第２の面ファスナーを取付け、係止板の雌又は雄の面ファスナーと係脱可能に締着するようにすると、左右の側板を折り畳み状態に保持することができる。
【００１５】
前後左右の側板、底板及び係止板の材質は特に限定されないが、製造の容易化及び軽量化という点を考慮すると、プラスチック製段ボール又はプラスチック板で製作されるのがよい。
【００１６】
ここで、ハーフカットとは厚み方向の途中までカットし、折り曲げ可能に構成することをいい、必ずしも厚み方向の半分をカットするという意味ではなく、カットの深さは材質に応じて適宜選択することができる。
【００１７】
また、プラスチック製段ボールとは１枚のプラスチック製ライナーに又は２枚のプスラチック製ライナーの間に波状のプラスチック製中芯を接着したものをいう。また、プラスチック板は非発泡の板材をいうが、低発泡の板材も含まれる。
【００１８】
【考案の実施の形態】
以下、本考案を図面に示す具体例に基づいて詳細に説明する。図１ないし図３は本考案に係る折畳み式小型コンテナの好ましい実施形態を示す。図において、コンテナ１０は矩形状のフレーム２０、矩形状の前後の側板３０、矩形状の左右の側板４０、矩形状の底板５０及び係止板６０から構成されている。
【００１９】
フレーム２０は前後のフレーム構成体２１、左右のフレーム構成体２２及び四隅のコーナー構成体２３から構成され、これらの構成体２１〜２３はいずれもプラスチック材料、例えばポリプロピレン（又はポリエチレン）を用いて製作されている。この前後左右のフレーム構成体２１、２２は平面直線状をなし、長手方向の全長にわたって断面逆Ｕ字状に形成されて全体が外嵌部分となっている。
【００２０】
また、コーナー構成体２３は平面Ｌ字状をなし、その全長にわたって断面逆Ｕ字状に形成され、コーナー構成体２３の両側下端には表側及び裏側に係止突起２３０が表裏で相互に対向するように一体形成され、又コーナー構成体２３の上面は他のコンテナの底板が上方から嵌まり込むような寸法・形状となっている。
【００２１】
他方、前後左右の側板３０、４０、底板５０及び係止板６０はプラスチック製段ボールを用いて製作され、おのおの縦目となるように用いられている。このプラスチック製段ボールは二枚のプラスチック製、例えばポリプロピレン製（又はポリエチレン製）の矩形状ライナーの間にプラスチック製、例えばポリプロピレン製（又はポリエチレン製）の波状の中芯を接着して製作されている。
【００２２】
左右の側板４０の上端縁直下には外面側からのハーフカットによるヒンジ部４１が横方向全長に延びて形成されるとともに、高さ方向の中間部位には内面側からハーフカットによるヒンジ部４２が横方向全長に延びて形成され、これらのヒンジ部４１、４２によって左右の側板４０は折り畳み可能となっている。
【００２３】
また、左右の側板４０の下端縁の間には底板５０が内面側からのハーフカットによるヒンジ部４３を介して一体的に連続されている。
【００２４】
前後の側板３０の上端縁直下には外面側からのハーフカットによるヒンジ部３１が横方向全長に延びて形成されており、前後の側板３０はヒンジ部３１から折り畳み可能となっている。
【００２５】
本例でハーフカットとはプラスチック製段ボールの一方のライナーを残して他方のライナー及び中芯をカットすることをいう。
【００２６】
また、前後の側板３０及び左右の側板４０の上端縁にはフレーム構成体２１、２２が外嵌されて側板３０、４０の上端縁が補強され、又フレーム構成体２１、２２の隣接する端部間にはコーナー構成体２３が外嵌されて矩形状のフレーム２０が構成されている。
【００２７】
また、前後左右の側板３０、４０の上端部位には係止穴３５、４５が形成され、該係止穴３５、４５にはコーナー構成体２３の係止突起２３０が表裏両面側から嵌め込まれて矩形状のフレーム２０が側板３０、４０に固定されている。
【００２８】
底板５０の前後の端縁には係止板６０が外方に連続して延び、かつ圧潰によって折り曲げ可能な部位５１を介して形成されている。
【００２９】
この係止板６０の内面側には雌（又は雄）の面ファスナー、例えばマジックテープ（登録商標）７０が取付けられる一方、前後の側板３０の下端縁には雄（又は雌）の面ファスナー、例えばマジックテープ（登録商標）７１が取付けられ、両面ファスナー７０、７１が相互に係脱可能に締着されることによって前後の側板３０が起立姿勢に保持されるようになっている。
【００３０】
また、コーナー構成体２３の前後の側板３０直上の部位には雄（又は雌）の面ファスナー、例えばマジックテープ（登録商標）７２が取付けられ、該面ファスナー７２に係止板６０の面ファスナー７０が締着されることによって前後左右の側板３０、４０が折り畳まれた姿勢に保持されるようになっている。
【００３１】
本例のコンテナを製作する場合、図２に示されるように、左右の側板４０の上端縁にフレーム構成体２２を各々外嵌するとともに、前後の側板３０の上端縁にフレーム構成体２１を各々外嵌する。次に、前後左右のフレーム構成体２１、２２を矩形状に配列し、隣接するフレーム構成体２１、２２のコーナー部位にコーナー構成体２３を外嵌し、コーナー構成体２３の係止突起２３０を側板３０、４０の係止穴３５、４５に嵌入させると、矩形状のフレーム２０が構成されるとともに、フレーム２０に側板３０、４０が固定されることとなり、こうして本例のコンテナを簡単に製作することができる。
【００３２】
本例のコンテナを使用しない場合、前後の側板３０をそのヒンジ部３１で内方に折り曲げて畳んだ後、左右の側板４０をヒンジ部４１、４２で内方にく字状に折り曲げて畳み、係止板６０の面ファスナー７０を第２の面ファスナー７２に締着させると、図３に示されるように嵩が低くなるように折り畳むことができる。
【００３３】
この状態ではコンテナは嵩高にならず、複数のコンテナを積み重ねることによって小さなスペースに保管することができ、又運搬も容易である。
【００３４】
本例のコンテナを使用する場合、図３に示される状態において、係止板６０の面ファスナー７０を第２の面ファスナー７２から外した後、左右の側板４０を平坦な姿勢に起立させるとともに、前後の側板３０を平坦な姿勢に起立させ、係止板６０の面ファスナー７０を第１の面ファスナー７１に締着させると、前後の側板３０は起立した姿勢に保持され、コンテナは図１に示される函状になるので、コンテナ内部に例えば電子部品を収納して運搬することができる。
【００３５】
このように、本例のコンテナは函状に簡単に組立てることができ、しかも前後の側板３０は面ファスナー７０、７１によって係止板６０、従って底板５０に強固に係止され、高強度のコンテナが得られる。
【図面の簡単な説明】
【図１】本考案に係る折畳み式小型コンテナの好ましい実施形態を示す斜視図である。
【図２】上記実施形態における分解した状態を示す斜視図である。
【図３】上記実施形態における折り畳み状態を示す斜視図である。
【符号の説明】
１０　　　コンテナ
２０　　　矩形状のフレーム
２１　　　前後のフレーム構成体
２２　　　左右のフレーム構成体
２３　　　コーナー構成体
３０　　　前後の側板
３１　　　ヒンジ部
３５　　　係止穴
４０　　　左右の側板
４１、４２、４３　　　　　　ヒンジ部
４５　　　係止穴
５０　　　底板
５１　　　折り曲げ部
６０　　　係止板
７０、７１、７２　　　面ファスナー
【図１】
0003098273.tif 000003
【図２】
0003098273.tif 000004
【図３】
0003098273.tif 000005